(57)【要約】  本発明の実施形態は、情報伝送方法を提供する。この方法では、端末は、端末がinactive状態のときに、第1の無線アクセスデバイスのカバレッジから第2の無線アクセスデバイスのカバレッジに移動し、端末識別子を割り当てる無線アクセスデバイスが第2の無線アクセスデバイスではないと決定したとき、第2の無線アクセスデバイスは、アップリンクデータを再送するために、或いは新たなアップリンクデータを伝送するために、使用されるべき鍵パラメータを端末に通知するか、或いは端末に対して端末と第1の無線アクセスデバイスとの間で交渉された鍵取得方式に従って新たな鍵を決定するように命令する。これは、第2の無線アクセスデバイスがアップリンクデータを誤ってデコードする可能性がある場合を回避する。
2020506638.tif 000002
【特許請求の範囲】
【請求項１】
情報伝送方法であって、
サービング無線アクセスデバイスにより、端末から第1のアップリンクデータパケット及び端末識別子を受信するステップであり、前記第1のアップリンクデータパケットはアップリンクデータを含む、ステップと、
前記サービング無線アクセスデバイスが、前記端末識別子を割り当てる無線アクセスデバイスが前記サービング無線アクセスデバイスでないと決定した場合、
前記サービング無線アクセスデバイスにより、第1の情報を前記端末に送信するステップであり、前記第1の情報は、前記端末からの第2のアップリンクデータパケットを暗号化するために使用される鍵の鍵パラメータについての通知を提供するために、或いは前記端末に対して前記第2のアップリンクデータパケットを暗号化するために使用される前記鍵を推定するように命令するために使用される、ステップと、
前記サービング無線アクセスデバイスにより、前記端末から前記第2のアップリンクデータパケットを受信するステップであり、前記第2のアップリンクデータパケットは前記アップリンクデータ又は新たに伝送されるアップリンクデータを含む、ステップと
を含む方法。
【請求項２】
前記サービング無線アクセスデバイスにより、前記第1のアップリンクデータパケットを破棄するステップを更に含む、請求項１に記載の方法。
【請求項３】
前記サービング無線アクセスデバイスにより、前記端末識別子を割り当てる前記無線アクセスデバイスから前記第1の情報を受信するステップを更に含む、請求項１又は２に記載の方法。
【請求項４】
前記サービング無線アクセスデバイスにより、前記端末識別子を割り当てる前記無線アクセスデバイスから前記端末のコンテキストを要求するステップと、
前記サービング無線アクセスデバイスにより、前記端末識別子を割り当てる前記無線アクセスデバイスから前記端末の前記コンテキスト及び前記第1の情報を受信するステップと
を更に含む、請求項１乃至３のうちいずれか１項に記載の方法。
【請求項５】
前記第1のアップリンクデータパケットを暗号化するために使用される鍵は、前記端末と前記端末識別子を割り当てる前記無線アクセスデバイスとの間の交渉を通じて生成される、請求項１乃至４のうちいずれか１項に記載の方法。
【請求項６】
情報伝送方法であって、
端末により、第1のアップリンクデータパケット及び端末識別子をサービング無線アクセスデバイスに送信するステップであり、前記第1のアップリンクデータパケットはアップリンクデータを含む、ステップと、
前記端末により、前記サービング無線アクセスデバイスにより送信された第1の情報を受信するステップであり、前記第1の情報は、前記端末からの第2のアップリンクデータパケットを暗号化するために使用される鍵パラメータについての通知を提供するために、或いは前記端末に対して前記第2のアップリンクデータパケットを暗号化するために使用される鍵を推定するように命令するために使用される、ステップと、
前記端末により、前記第1の情報に基づいて前記第2のアップリンクデータパケットを暗号化し、前記第2のアップリンクデータパケットを前記サービング無線アクセスデバイスに送信するステップであり、前記第2のアップリンクデータパケットは前記アップリンクデータ又は新たに伝送されるアップリンクデータを含む、ステップと
を含む方法。
【請求項７】
前記第1のアップリンクデータパケットを暗号化するために使用される鍵は、前記端末と前記端末識別子を割り当てる無線アクセスデバイスとの間の交渉を通じて生成される、請求項６に記載の方法。
【請求項８】
サービング無線アクセスデバイスであって、
端末から第1のアップリンクデータパケット及び端末識別子を受信するように構成された受信機であり、前記第1のアップリンクデータパケットはアップリンクデータを含む、受信機と、
前記端末識別子を割り当てる無線アクセスデバイスが前記サービング無線アクセスデバイスでないとき、第1の情報を前記端末に送信するように構成された送信機であり、前記第1の情報は、前記端末からの第2のアップリンクデータパケットを暗号化するために使用される鍵を決定するために、或いは前記端末に対して前記第2のアップリンクデータパケットを暗号化するために使用される前記鍵を推定するように命令するために使用される、送信機と
を含み、
前記受信機は、前記端末から前記第2のアップリンクデータパケットを受信するように更に構成され、前記第2のアップリンクデータパケットは前記アップリンクデータ又は新たに伝送されるアップリンクデータを含む、無線アクセスデバイス。
【請求項９】
前記第1のアップリンクデータパケットを破棄するように構成されたプロセッサを更に含む、請求項８に記載の無線アクセスデバイス。
【請求項１０】
前記受信機は、前記端末識別子を割り当てる前記無線アクセスデバイスから前記第1の情報を受信するように更に構成される、請求項８又は９に記載の無線アクセスデバイス。
【請求項１１】
前記送信機は、前記端末識別子を割り当てる前記無線アクセスデバイスに要求を送信するように更に構成され、前記要求は、前記端末のコンテキストを取得するために使用され、
前記受信機は、前記端末識別子を割り当てる前記無線アクセスデバイスから前記端末の前記コンテキスト及び前記第1の情報を受信するように更に構成される、請求項８乃至１０のうちいずれか１項に記載の無線アクセスデバイス。
【請求項１２】
前記第1のアップリンクデータパケットを暗号化するために使用される鍵は、前記端末と前記端末識別子を割り当てる前記無線アクセスデバイスとの間の交渉を通じて生成される、請求項８乃至１１のうちいずれか１項に記載の無線アクセスデバイス。
【請求項１３】
端末であって、
第1のアップリンクデータパケット及び端末識別子をサービング無線アクセスデバイスに送信するように構成された送信機であり、前記第1のアップリンクデータパケットはアップリンクデータを含む、送信機と、
前記サービング無線アクセスデバイスにより送信された第1の情報を受信するように構成された受信機であり、前記第1の情報は、前記端末からの第2のアップリンクデータパケットを暗号化するために使用される鍵を決定するために、或いは前記端末に対して前記第2のアップリンクデータパケットを暗号化するために使用される前記鍵を推定するように命令するために使用される、受信機と、
前記第1の情報に基づいて前記第2のアップリンクデータパケットを暗号化するように構成されたプロセッサと
を含み、
前記送信機は、前記第2のアップリンクデータパケットを前記サービング無線アクセスデバイスに送信するように更に構成され、前記第2のアップリンクデータパケットは前記アップリンクデータ又は新たに伝送されるアップリンクデータを含む、端末。
【請求項１４】
前記第1のアップリンクデータパケットを暗号化するために使用される鍵は、前記端末と前記端末識別子を割り当てる無線アクセスデバイスとの間の交渉を通じて生成される、請求項１３に記載の端末。
【発明の詳細な説明】
【技術分野】
【０００１】
［関連出願への相互参照］
この出願は、2017年2月14日に中国特許庁に出願された中国特許出願第CN2017100079522.9号に対する優先権を主張し、その全体を参照により援用する。
【０００２】
［技術分野］
本発明の実施形態は、無線通信分野に関し、特に、情報伝送方法、無線アクセスデバイス及び端末に関する。
【背景技術】
【０００３】
無線通信技術の発展によって、端末がデータを送信又は受信する必要がないとき、端末はネットワーク接続状態に留まる。ネットワークリソースを節約するために、ライト接続状態がロングタームエボリューション(Long  Term  Evolution,  LTE)ネットワークにおいて使用され、非アクティブ状態(inactive)と呼ばれる状態が新たな無線アクセス技術(Radio  Access  Technique,  RAT)のような5G技術に導入されている。当該状態の挙動は、LTEにおけるライト接続状態の挙動と同様であり、端末がコアネットワークノードと無線アクセスネットワークとの間の接続を残すことを可能にする。
【０００４】
例えば、コアネットワーク及び無線アクセスネットワーク(Radio  Access  Network,  RAN)における「LTEライト接続状態/5G  INACTIVE」状態の端末、例えば、ユーザ装置(user  Equipment,  UE)のインタフェースは、RANノード(端末がデータ伝送のために移動中に接続される無線アクセスデバイス)においてアンカー(anchor)される。端末が所定のエリア(5Gでは通知エリアと呼ばれ、或いはLTEではページングエリアと呼ばれる)内を移動するとき、端末はサービング無線アクセスデバイスに通知する必要はなく、端末がこのエリアから出るとき、端末は、端末が移動したカバレッジの無線アクセスデバイスに端末の位置を通知する必要があり、すなわち、トラッキングエリアアップデートプロセスが実行される。「LTEライト接続状態/5G  INACTIVE状態」の端末が他の無線アクセスデバイスのカバレッジに移動し、データを送信する必要があるとき、端末は、端末が移動したカバレッジのサービング無線アクセスデバイスに対して接続復旧プロセスを開始する。サービング無線アクセスデバイスは、端末のためのエアインタフェースリソースを有するセルを提供し、それにより、端末は接続(ACTIVE)状態に入る。サービング無線アクセスデバイスは、端末のコンテキストを端末の現在のサービング無線アクセスデバイスに切り替えるために、アンカー無線アクセスデバイスに対して端末のコンテキスト要求を開始し、端末に対応するコアネットワーク接続パスを現在のサービング無線アクセスデバイスに切り替えるために、パス切り替え要求をコアネットワークに送信し、それにより、データ伝送を実現する。
【０００５】
しかし、上記の方式では、サービング無線アクセスデバイスの切り替えを実行した後に、端末は、データを切り替えられたサービング無線アクセスデバイスに伝送するために、切り替え前の端末に対応するサービング無線アクセスデバイスにより割り当てられたか、或いはサービング無線アクセスデバイスとの交渉を通じて取得された鍵パラメータを依然として使用する。その結果、切り替えられたサービング無線アクセスデバイスは、端末からのアップリンクデータを正しくデコードできない。
【発明の概要】
【０００６】
本発明の実施形態は、inactive状態の端末がサービング無線アクセスデバイスの切り替えを実行した後に、サービング無線アクセスデバイスが端末により伝送されたアップリンクデータを正しくデコードできるようにするための情報伝送方法を提供する。
【０００７】
本発明の実施形態の第1の態様は、情報伝送方法を提供し、
サービング無線アクセスデバイスにより、端末から第1のアップリンクデータパケット及び端末識別子を受信するステップであり、第1のアップリンクデータパケットはアップリンクデータを含む、ステップと、
サービング無線アクセスデバイスが、端末識別子を割り当てる無線アクセスデバイスがサービング無線アクセスデバイスでないと決定した場合、
サービング無線アクセスデバイスにより、第1の情報を端末に送信するステップであり、第1の情報は、端末からの第2のアップリンクデータパケットを暗号化するために使用される鍵パラメータについての通知を提供するために、或いは端末に対して第2のアップリンクデータパケットを暗号化するために使用される鍵を推定するように命令するために使用される、ステップと、
サービング無線アクセスデバイスにより、端末から第2のアップリンクデータパケットを受信するステップであり、第2のアップリンクデータパケットはアップリンクデータ又は新たに伝送されるアップリンクデータを含む、ステップと
を含む。
【０００８】
第1の態様による技術的解決策によれば、端末の現在のサービング無線アクセスデバイスは、アップリンクデータパケットと共に送信される端末識別子に基づいて、端末識別子を割り当てる無線アクセスデバイスがサービングアクセスデバイスであるか否かを決定する。端末識別子を割り当てる無線アクセスデバイスがサービングアクセスデバイスでない場合、サービング無線アクセスデバイスは、端末からのアップリンクデータを誤ってデコードする可能性がある。したがって、サービング無線アクセスデバイスは、暗号化を実行するために、再送されるアップリンクデータ又は新たに伝送されるアップリンクデータに使用される鍵パラメータを端末に通知するか、或いは端末に対して第2のアップリンクデータパケットを暗号化するための鍵を推定するように命令する。このように、サービング無線アクセスデバイスは、端末からの再送されるアップリンクデータ又は新たに伝送されるアップリンクデータを正しくデコードできる。
【０００９】
第1の態様に基づいて、第1の態様の第1の可能な実現方式では、当該方法は、
サービング無線アクセスデバイスにより、第1のアップリンクデータパケットを破棄するステップを更に含む。
【００１０】
サービング無線アクセスデバイスは、第1のアップリンクデータパケットを誤ってデコードする可能性がある。したがって、当該可能な実現方式では、サービング無線アクセスデバイスは、システムリソースの無駄を低減するために、第1のアップリンクデータを破棄する。
【００１１】
第1の態様又は第1の態様の第1の可能な実現方式に基づいて、第1の態様の第2の可能な実現方式では、当該方法は、
サービング無線アクセスデバイスにより、端末識別子を割り当てる無線アクセスデバイスから第1の情報を受信するステップを更に含む。
【００１２】
当該可能な実現方式では、サービング無線アクセスデバイスにより端末に通知された、第2のアップリンクデータパケットに使用される鍵は、端末識別子を割り当てる無線アクセスデバイスから取得される。
【００１３】
第1の態様から第1の態様の第2の可能な実現方式のうちいずれか1つに基づいて、第1の態様の第3の可能な実現方式では、当該方法は、
サービング無線アクセスデバイスにより、端末識別子を割り当てる無線アクセスデバイスから端末のコンテキストを要求するステップと、
サービング無線アクセスデバイスにより、端末識別子を割り当てる無線アクセスデバイスから端末のコンテキスト及び第1の情報を受信するステップと
を更に含む。
【００１４】
当該可能な実現方式では、第1の情報は、サービング無線アクセスデバイスが端末のコンテキストを取得するプロセスにおいて取得されてもよい。
【００１５】
第1の態様から第1の態様の第3の可能な実現方式のうちいずれか1つに基づいて、第1の態様の第3の可能な実現方式では、第1のアップリンクデータパケットを暗号化するために使用される鍵は、端末と端末識別子を割り当てる無線アクセスデバイスとの間の交渉を通じて生成される。
【００１６】
当該可能な実現方式では、以下のことが限定される。第1のアップリンクデータパケットに使用される鍵は、端末識別子を割り当てる無線アクセスデバイスと端末との間の交渉を通じて生成される。したがって、サービング無線アクセスデバイスは、アップリンクデータパケットを誤ってデコードする可能性がある。
【００１７】
本発明の実施形態の第2の態様は、情報伝送方法を提供し、
端末により、第1のアップリンクデータパケット及び端末識別子をサービング無線アクセスデバイスに送信するステップであり、第1のアップリンクデータパケットはアップリンクデータを含む、ステップと、
端末により、サービング無線アクセスデバイスにより送信された第1の情報を受信するステップであり、第1の情報は、端末からの第2のアップリンクデータパケットを暗号化するために使用される鍵パラメータについての通知を提供するために使用される、ステップと、
端末により、第1の情報に基づいて第2のアップリンクデータパケットを暗号化し、第2のアップリンクデータパケットをサービング無線アクセスデバイスに送信するステップであり、第2のアップリンクデータパケットはアップリンクデータ又は新たに伝送されるアップリンクデータを含む、ステップと
を含む。
【００１８】
第2の態様による技術的解決策によれば、端末の現在のサービング無線アクセスデバイスは、アップリンクデータパケットと共に送信される端末識別子に基づいて、端末識別子を割り当てる無線アクセスデバイスがサービングアクセスデバイスであるか否かを決定する。端末識別子を割り当てる無線アクセスデバイスがサービングアクセスデバイスでない場合、サービング無線アクセスデバイスは、端末からのアップリンクデータを誤ってデコードする可能性がある。したがって、サービング無線アクセスデバイスは、暗号化を実行するために、再送されるアップリンクデータ又は新たに伝送されるアップリンクデータに使用される鍵パラメータを端末に通知するか、或いは端末に対して第2のアップリンクデータパケットを暗号化するための鍵を推定するように命令する。このように、サービング無線アクセスデバイスは、端末からの再送されるアップリンクデータ又は新たに伝送されるアップリンクデータを正しくデコードできる。
【００１９】
第2の態様に基づいて、第2の態様の第1の可能な実現方式では、第1のアップリンクデータパケットを暗号化するために使用される鍵は、端末と端末識別子を割り当てる無線アクセスデバイスとの間の交渉を通じて生成される。
【００２０】
当該可能な実現方式では、以下のことが限定される。第1のアップリンクデータパケットに使用される鍵は、端末識別子を割り当てる無線アクセスデバイスと端末との間の交渉を通じて生成される。
【００２１】
本発明の実施形態の第3の態様は、無線アクセスデバイスを提供する。無線アクセスデバイスは、現在端末にサービス提供しているサービング無線アクセスデバイスである。サービング無線アクセスデバイスは、送信機及び受信機を含む。送信機は、本発明の実施形態の第1の態様及び第1の態様の様々な可能な実現方式に従ってサービング無線アクセスデバイスの送信動作を実行するように構成される。受信機は、本発明の実施形態の第1の態様及び第1の態様の様々な可能な実現方式に従ってサービング無線アクセスデバイスの受信動作を実行するように構成される。本発明の実施形態の第1の態様及び第1の態様の様々な可能な実現方式により達成されるのと同じ技術的効果が、本発明の実施形態の第3の態様による無線アクセスデバイスを使用することにより達成できる。詳細については、上記の説明を参照する。
【００２２】
本発明の実施形態の第4の態様は、端末を提供する。端末は、送信機、受信機及びプロセッサを含む。送信機は、本発明の実施形態の第2の態様及び第2の態様の様々な可能な実現方式に従って端末の送信動作を実行するように構成される。受信機は、本発明の実施形態の第2の態様及び第2の態様の様々な可能な実現方式に従って端末の受信動作を実行するように構成される。プロセッサは、本発明の実施形態の第2の態様及び第2の態様の様々な可能な実現方式に従って端末の取得及び決定のような動作を実行するように構成される。本発明の実施形態の第2の態様及び第2の態様の様々な可能な実現方式により達成されるのと同じ技術的効果が、本発明の実施形態の第4の態様による端末を使用することにより達成できる。詳細については、上記の説明を参照する。
【図面の簡単な説明】
【００２３】
【図１】本発明の実施形態による無線通信システムの概略アーキテクチャ図である。
【図２】本発明の実施形態による情報伝送方法におけるシステム相互作用の概略図である。
【図３】本発明の実施形態による無線アクセスデバイスの概略構造図である。
【図４】本発明の実施形態による端末の概略構造図である。
【発明を実施するための形態】
【００２４】
図１に示す無線通信システムの概略アーキテクチャ図において、無線アクセスデバイス、例えば、基地局及び無線ローカルエリアネットワークアクセスポイントのような様々な送信/受信ポイント(transmission  reception  point,  TRP)は、端末のためにライセンススペクトルにおけるアクセスサービス又はアンライセンススペクトルにおけるアクセスサービスを提供する。端末及び無線アクセスデバイスは、アップリンク及びダウンリンク上のプロトコル層を通じて、制御シグナリング又はサービスデータのような様々なタイプのデータを伝送する。制御シグナリングは、主に制御チャネルで伝送され、サービスデータは、主にサービスチャネルで伝送される。これらのプロトコル層は、物理層、媒体アクセス制御層、無線リソース制御層等を含む。いずれかの層で伝送されるデータは、最終的に物理層で搬送され、少なくとも1つの物理アンテナを通じて無線空間で伝送される。
【００２５】
物理層におけるデータ伝送を実現するために、複数の時間単位が時間領域における分割を通じて取得され、複数の周波数単位が周波数領域における分割を通じて取得される。例えば、ロングタームエボリューション(long  term  evolution,  LTE)システムにおいて、時間単位は、1つの無線フレームでもよい。1つの無線フレームは、10ミリ秒(ms)の長さを有し、1msの長さをそれぞれ有する10個のサブフレームを含む。1つのサブフレームは、いくつかの直交周波数分割多重(Orthogonal  Frequency  Division  Multiplexing,  OFDM)シンボルを含む。周波数単位は、1つのサブキャリアでもよく、1つのサブキャリアは、通常では15kHz(キロヘルツ)である。異なる数のサブキャリアの組み合わせは、異なる全システム帯域幅を実現してもよい。LTEシステムにおける詳細な研究と、第5世代移動通信システムにおける拡張モバイルブロードバンド(enhanced  mobile  broadband,  eMBB)サービス、大容量マシンタイプ通信(massive  machine  type  communication,  mMTC)サービス及び超高信頼性及び低遅延通信(ultra  reliable  and  low  latency  communication,  URLLC)サービスに対する要求の増加とによって、1つの時間単位により占有される時間長及び1つの周波数単位により占有される周波数長は、無線通信要件が変化するにつれて、時間領域及び周波数領域において変化し得る。無線通信システムにおいて、データ伝送に使用される時間単位及び周波数単位の定義は、異なる無線通信要件を満たすために、第5世代移動通信システムにおいてヌメロロジー(numerology)と呼ばれてもよいパラメータのような、異なる無線パラメータ構成を使用することにより取得できる。
【００２６】
無線アクセスネットワークにおける端末は、必ずしも伝送されるべきデータを有するとは限らない。したがって、端末の電力消費を低減するために、端末が伝送されるべきデータを有さない期間の後に、端末はinactive状態に入る。しかし、端末が移動するにつれて、端末がinactive状態になり、端末が新たなサービング無線アクセスデバイスに切り替えた場合、端末は、依然として、端末がinactive状態又はactive状態にあるときにこれまでに取得された鍵パラメータを使用することによりデータパケットを暗号化し、データパケットを新たなサービング無線アクセスデバイスに送信する。この場合、新たなサービング無線アクセスデバイスは端末により使用される鍵パラメータを知らないので、無線アクセスデバイスは、受信したデータパケットを誤ってデコードする可能性がある。
【００２７】
上記の技術的問題を鑑みて、本発明の実施形態の態様は、データ処理方法を提供する。図２は、以下の内容を含む情報伝送方法の概略フローチャートである。
【００２８】
200.端末が伝送されるべきデータを有するとき、アイドル(idle)状態の端末は、第1の無線アクセスデバイスへの無線リンク制御接続を開始し、接続状態に入るために第1の無線アクセスデバイスのセル(以下の説明を容易にするために、ここではソースセルと呼ばれる)への接続を確立し、鍵及びセキュリティアルゴリズムのようなデータ伝送において使用されるセキュリティパラメータについて第1の無線アクセスデバイスと交渉する。
【００２９】
本発明のこの実施形態では、端末は、3つの状態、すなわち、アイドル(idle)状態、非アクティブ(inactive)状態及び接続(active)状態を有してもよい点に留意すべきである。端末がinactive状態にあるとき、端末はUEのコンテキストを記憶し、アクセスネットワークとCNとの間の接続を維持する。ネットワークの指定エリア内を移動するとき、端末はネットワークに通知しない。端末がidle状態にあるとき、端末はUEのコンテキストを記憶せず、アクセスネットワークとCNとの間の接続も維持しない。詳細については、既存の定義を参照する。
【００３０】
201.端末が或る期間中にデータ伝送を実行しないとき、第1の無線アクセスデバイスは、UEに対して電気を節約するためにinactive状態に入るように命令し、inactive状態の端末に端末識別子を割り当ててもよい。端末の端末識別子は、第1の無線アクセスデバイスが位置する通知エリア又はページングエリアの少なくとも1つのセル範囲において固有である。端末識別子は、端末が位置するソースセルが属する無線アクセスデバイスについての情報を示す。例えば、端末識別子は、第1の無線アクセスデバイスの識別子と、第1の無線アクセスデバイスにより割り当てられた固有の識別子とを使用することにより生成されてもよい。ここで、端末識別子を生成するための他の方式が存在する。
【００３１】
202.端末が移動するにつれて、端末は、移動プロセスの間に、セル信号品質に基づいて新たなセルを再選択してもよく、或いは新たなセルに切り替えてもよい。新たなセルが属する第2の無線アクセスデバイスは、ソースセルが属する第1の無線アクセスデバイスとは異なる。任意選択で、第1の無線アクセスデバイスは、鍵推定方式を端末に更に通知する。
【００３２】
203.端末が送信されるべきアップリンクデータを有するとき、端末は、ソースセル内で交渉された鍵を使用することによりセキュリティ保護を実行し、すなわち、アップリンクデータパケット(第1のアップリンクデータパケット)を暗号化し、端末識別子に対して整合性保護を実行する。端末は、新たなセルを通じて第1のアップリンクデータパケット及び端末識別子を第2の無線アクセスデバイスに送信する。
【００３３】
204.第1のアップリンクデータパケット及び端末識別子を受信した後に、第2の無線アクセスデバイスは、解析を通じて、端末識別子に対応する無線アクセスデバイスが現在の無線アクセスデバイス(すなわち、第2の無線アクセスデバイス)でないことを習得する。このように、第2の無線アクセスデバイスは、端末が無線アクセスデバイスの間で移動することを習得する。一方、第2の無線アクセスデバイスは、第1のアップリンクデータパケットを破棄してもよく、他方、第2の無線アクセスデバイスは、再送される第1のアップリンクデータパケット内のアップリンクデータ又は新たに伝送されるアップリンクデータに使用される鍵パラメータを端末に通知する。鍵パラメータは、第2の無線アクセスデバイスにより通知される。鍵パラメータは、予め端末に記憶されてもよく、或いは予め端末に記憶されなくてもよい。端末は、鍵パラメータを推定することにより鍵を取得してもよい。端末は、第1のアップリンクデータパケット内のアップリンクデータを再送してもよく、或いは第2のアップリンクデータパケットの形式で新たなアップリンクデータを伝送してもよい。
【００３４】
上記の実現方式では、第2の無線アクセスデバイスにより通知される鍵パラメータは、第2の無線アクセスデバイスにより決定され、次いで、第2の無線アクセスデバイスにより端末に通知されてもよい。他の可能な実現方式では、第2の無線アクセスデバイスにより通知される鍵パラメータは、代替として第1の無線アクセスデバイスを使用することにより取得されてもよい。当該方法は、以下のステップを更に含む。
【００３５】
205(任意選択).第2の無線アクセスデバイス(現在の無線アクセスデバイス)は、端末のコンテキストについて第1の無線アクセスデバイス(ソースセルが属する無線アクセスデバイス)に要求する。任意選択で、端末識別子は当該要求で搬送される。
【００３６】
206(任意選択).第1の無線アクセスデバイスは、要求に応答し、応答で搬送された端末のコンテキストを第2の無線アクセスデバイスに送信し、応答は、第2のアップリンクデータパケットを暗号化するために使用される鍵パラメータを更に含み、第2のアップリンクデータパケットは、第1のアップリンクデータパケット内のアップリンクデータ(すなわち、再送される第1のアップリンクデータパケット内のアップリンクデータ)又は新たに伝送されるアップリンクデータを含む。第2のアップリンクデータパケットを暗号化するために使用される鍵パラメータは、鍵でもよく、或いはLTEにおけるNextHopChainingCountのような鍵を決定するために使用されるパラメータのグループでもよい点に留意すべきである。任意選択で、第1の無線アクセスデバイスが鍵パラメータを第2の無線アクセスデバイスに送信した場合、第2の無線アクセスデバイスは、鍵パラメータを端末に送信してもよい。代替として、端末は、以前に第1の無線アクセスデバイスに接続されており、したがって、端末は、第1の無線アクセスデバイスにより鍵パラメータを決定する方式を知っている。この場合、第2の無線アクセスデバイスは、鍵パラメータを端末に送信する必要なく、端末に対して端末と第1の無線アクセスデバイスとの間で交渉された鍵取得方式に従って、第2のアップリンクデータパケットを暗号化するために使用される鍵を推定するように命令してもよい。この場合、端末及び第2の無線アクセスデバイスは、データを伝送するために同じ鍵を取得する。
【００３７】
207.第2の無線アクセスデバイスは、鍵パラメータを端末に通知するか、或いは端末に対して端末と第1の無線アクセスデバイスとの間で以前に交渉された鍵取得方式に従って鍵を推定するように命令する。
【００３８】
208.端末は、第1のアップリンクデータパケット内のアップリンクデータを再送するために、或いは新たなアップリンクデータを伝送するために、取得された鍵に基づいて第2のアップリンクデータパケットを暗号化する。
【００３９】
本発明のこの実施形態において提供される技術的解決策によれば、端末の現在のサービング無線アクセスデバイスは、アップリンクデータパケットと共に送信される端末識別子に基づいて、端末識別子を割り当てる無線アクセスデバイスがサービングアクセスデバイスであるか否かを決定する。端末識別子を割り当てる無線アクセスデバイスがサービングアクセスデバイスでない場合、サービング無線アクセスデバイスは、端末からのアップリンクデータを誤ってデコードする可能性がある。したがって、サービング無線アクセスデバイスは、暗号化を実行するために、再送されるアップリンクデータ又は新たに伝送されるアップリンクデータに使用される鍵パラメータを端末に通知するか、或いは端末に対して鍵を推定するように命令する。このように、サービング無線アクセスデバイスは、端末からの再送されるアップリンクデータ又は新たに伝送されるアップリンクデータを正しくデコードできる。
【００４０】
本発明の実施形態は、無線アクセスデバイス300を提供する。無線アクセスデバイス300は、現在端末とデータ伝送を実行するサービング無線アクセスデバイスである。図３に示す無線アクセスデバイス300の概略構造図において、送信機301、受信機302及びプロセッサ303が含まれ、様々な電子ラインインタフェース(例えば、バス)を使用することにより互いに接続される。
【００４１】
受信機302は、端末から第1のアップリンクデータパケット及び端末識別子を受信するように構成され、第1のアップリンクデータパケットはアップリンクデータを含む。
【００４２】
送信機301は、端末識別子を割り当てる無線アクセスデバイスがサービング無線アクセスデバイスでないとき、第1の情報を端末に送信するように構成され、第1の情報は、端末からの第2のアップリンクデータパケットを暗号化するために使用される鍵を決定するために、或いは端末に対して第2のアップリンクデータパケットを暗号化するために使用される鍵を推定するように命令するために使用される。
【００４３】
受信機302は、端末から第2のアップリンクデータパケットを受信するように更に構成され、第2のアップリンクデータパケットはアップリンクデータ又は新たに伝送されるアップリンクデータを含む。
【００４４】
任意選択で、無線アクセスデバイス300は、第1のアップリンクデータパケットを破棄するように構成されたプロセッサ300を更に含む。受信機302により受信された第1のアップリンクデータパケットは、プロセッサにより誤ってデコードされる可能性がある点に留意すべきである。したがって、端末識別子を割り当てる無線アクセスデバイスがサービング無線アクセスデバイスでないと決定したとき、プロセッサは、第1のアップリンクデータパケットをデコードする代わりに、第1のアップリンクデータを直接破棄してもよい。
【００４５】
任意選択で、受信機302は、端末識別子を割り当てる無線アクセスデバイスから第1の情報を受信するように更に構成される。
【００４６】
任意選択で、送信機301は、端末識別子を割り当てる無線アクセスデバイスに要求を送信するように更に構成され、要求は、端末のコンテキストを取得するために使用される。受信機302は、端末識別子を割り当てる無線アクセスデバイスから端末のコンテキスト及び第1の情報を受信するように更に構成される。
【００４７】
第1のアップリンクデータパケットを暗号化するために使用される鍵は、端末と端末識別子を割り当てる無線アクセスデバイスとの間の交渉を通じて生成される。
【００４８】
本発明のこの実施形態において提供される無線アクセスデバイスは、上記の方法の実施形態、例えば、図２に示す実施形態における無線アクセスデバイスの動作を実行してもよい。送信機301は、上記の方法の実施形態における無線アクセスデバイスの送信動作を実行するように構成される。受信機302は、上記の方法の実施形態における無線アクセスデバイスの受信動作を実行するように構成される。プロセッサ303は、上記の方法の実施形態における取得及び決定のような処理動作を実行するように構成される。詳細については、上記の方法の実施形態を参照し、詳細はこの実施形態では更に説明しない。
【００４９】
本発明の実施形態は、端末400を提供する。図４に示す端末400の概略構造図において、送信機401、受信機402及びプロセッサ403が含まれ、様々な電子ラインインタフェース(例えば、バス)を使用することにより互いに接続される。
【００５０】
送信機401は、第1のアップリンクデータパケット及び端末識別子をサービング無線アクセスデバイスに送信するように構成され、第1のアップリンクデータパケットはアップリンクデータを含む。
【００５１】
受信機402は、サービング無線アクセスデバイスにより送信された第1の情報を受信するように構成され、第1の情報は、端末からの第2のアップリンクデータパケットを暗号化するために使用される鍵を決定するために、或いは端末に対して第2のアップリンクデータパケットを暗号化するために使用される鍵を推定するように命令するために使用される。
【００５２】
プロセッサ403は、第1の情報に基づいて第2のアップリンクデータパケットを暗号化するように構成される。
【００５３】
送信機401は、第2のアップリンクデータパケットをサービング無線アクセスデバイスに送信するように更に構成され、第2のアップリンクデータパケットはアップリンクデータ又は新たに伝送されるアップリンクデータを含む。
【００５４】
本発明のこの実施形態において提供される端末400は、上記の方法の実施形態、例えば、図３に示す実施形態における端末の動作を実行してもよい点に留意すべきである。送信機401は、上記の方法の実施形態における無線アクセスデバイスの送信動作を実行するように構成される。受信機402は、上記の方法の実施形態における無線アクセスデバイスの受信動作を実行するように構成される。プロセッサ403は、上記の方法の実施形態における取得及び決定のような処理動作を実行するように構成される。詳細については、上記の方法の実施形態を参照し、詳細はこの実施形態では更に説明しない。
【００５５】
端末400と無線アクセスデバイス300との間の通信を実現するために、端末400及び無線アクセスデバイス300は、少なくとも1つの論理アンテナアレイをそれぞれ含み、少なくとも1つの物理アンテナにマッピングされる。端末400の物理アンテナの数は、無線アクセスデバイス300の物理アンテナの数と同じでもよく、或いは異なってもよい。具体的なアンテナ構成及び利用については、従来技術を参照する。
【００５６】
端末400及び無線アクセスデバイス300によれば、端末の現在のサービング無線アクセスデバイスは、アップリンクデータパケットと共に送信される端末識別子に基づいて、端末識別子を割り当てる無線アクセスデバイスがサービングアクセスデバイスであるか否かを決定する。端末識別子を割り当てる無線アクセスデバイスがサービングアクセスデバイスでない場合、サービング無線アクセスデバイスは、端末からのアップリンクデータを誤ってデコードする可能性がある。したがって、サービング無線アクセスデバイスは、暗号化を実行するために、再送されるアップリンクデータ又は新たに伝送されるアップリンクデータに使用される鍵パラメータを端末に通知するか、或いは端末に対して鍵を推定するように命令する。このように、サービング無線アクセスデバイスは、端末からの再送されるアップリンクデータ又は新たに伝送されるアップリンクデータを正しくデコードできる。
【００５７】
当業者は、本発明の実施形態が方法、システム又はコンピュータプログラムプロダクトとして提供されてもよいことを理解すべきである。したがって、本発明は、ハードウェアのみの実施形態、ソフトウェアのみの実施形態又はソフトウェアとハードウェアとの組み合わせによる実施形態の形式を使用してもよい。さらに、本発明は、コンピュータ使用可能プログラムコードを含む1つ以上のコンピュータ使用可能記憶媒体(ディスクメモリ、CD-ROM及び光メモリを含むが、これらに限定されない)に実現されるコンピュータプログラムプロダクトの形式を使用してもよい。
【００５８】
本発明は、本発明の実施形態による方法、装置(システム)及びコンピュータプログラムプロダクトのフローチャート及び/又はブロック図を参照して記載されている。コンピュータプログラム命令は、フローチャート及び/又はブロック図における各プロセス及び/又は各ブロック並びにフローチャート及び/又はブロック図におけるプロセス及び/又はブロックの組み合わせを実現するために使用されてもよいことが理解されるべきである。これらのコンピュータプログラム命令は、汎用コンピュータ、専用コンピュータ、埋め込みプロセッサ又は他のプログラム可能(データ処理)デバイスのプロセッサが機械を生成するために提供されてもよく、それにより、コンピュータ又は他のプログラム可能(データ処理)デバイスのプロセッサにより実行された命令が、フローチャートにおける1つ以上のプロセス及び/又はブロック図における1つ以上のブロックにおいて具体的な機能を実現するための装置を生成する。
【００５９】
これらのコンピュータプログラム命令は、コンピュータ又は他のプログラム可能(データ処理)デバイスに対して特定の方式で動作するように命令できるコンピュータ読取可能メモリに記憶されてもよく、それにより、コンピュータ読取可能メモリに記憶された命令は、命令装置を含むアーチファクトを生成する。命令装置は、フローチャートにおける1つ以上のプロセス及び/又はブロック図における1つ以上のブロックの中の具体的な機能を実現する。
【００６０】
これらのコンピュータプログラム命令は、コンピュータ又は他のプログラム可能データ処理デバイスにロードされてもよく、それにより、一連の操作及びステップがコンピュータ又は他のプログラム可能デバイス上で実行され、それにより、コンピュータで実現される処理を生成する。したがって、コンピュータ又は他のプログラム可能デバイスで実行される命令は、フローチャートにおける1つ以上のプロセス及び/又はブロック図における1つ以上のブロックの中の具体的な機能を実現するためのステップを提供するために使用される。
【００６１】
本発明のいくつかの好ましい実施形態について説明したが、当業者は、基本的な発明の概念を習得すると、これらの実施形態に変更及び修正を行うことができる。したがって、以下の特許請求の範囲は、好ましい実施形態並びに本発明の範囲に含まれる全ての変更及び修正をカバーするものとして解釈されることを意図する。
【００６２】
明らかに、当業者は、本発明の真意及び範囲から逸脱することなく、本発明に対して様々な修正及び変形を行うことができる。この場合、本発明におけるこれらの修正及び変形が、本発明の特許請求の範囲及び等価な技術の範囲内に入る場合、本発明はまた、これらの修正及び変形を含むことも意図する。
【図１】
2020506638.tif 000003
【図２】
2020506638.tif 000004
【図３】
2020506638.tif 000005
【図４】
2020506638.tif 000006
【国際調査報告】
2020506638.tif 000007
2020506638.tif 000008
2020506638.tif 000009
2020506638.tif 000010